(57)【要約】      （修正有）【課題】新紙幣のホログラムにも対応した安価で、操作の簡単な装置の提供。【解決手段】偽造紙幣識別器５は、前面に紙幣を挟むための突起部９の付いた紙幣固定板８を持ち、紙幣挿入口１２より挿入された紙幣がマイクロスイッチの足を通過し押すことでスイッチオンとなり、左側透かし用高光度ＬＥＤ、ホログラム用の高光度ＬＥＤ、中央部透かし用の高光度ＬＥＤ、及び右側縦線の透かし用高光度ＬＥＤに通電照射する。紙幣固定板８は２つの効果を持つ。１つはマイクロスイッチの足と突起部分９とを併用して使うことで紙幣のような薄い紙でも確実にスイッチがオンとなる。２つ目は減光用前面板６と軽く接触している突起部９により紙幣が支えられるため、屋外での風の影響を受けることも無く、手を添え続ける必要も無い。【選択図】図１
0003112978.tif 000002
【実用新案登録請求の範囲】
【請求項１】
機器本体の減光用前面板と紙幣固定板に設けた突起とにより紙幣を挟む隙間を構成し、機器の内部に設けた照明球からの光を前記紙幣に向けて照射し、紙幣の透かしの有無により判別する偽造紙幣識別器において、前記照射光は、平成１７年現在流通している旧紙幣においては１箇所を、又ホログラム付新紙幣においては１箇所から３箇所を照射する構造を特徴とする新旧紙幣に対応する偽造紙幣識別器。
【請求項２】
前記照明球には高光度ＬＥＤを用い、正面から向かって左側に旧紙幣用、中央に新旧紙幣用及び右側に新紙幣用に配置して前記減光用前面板の後ろから紙幣裏面に照射し、さらに新紙幣用の左下ホログラム印刷面に照射する高光度ＬＥＤは紙幣表面に照射する構造とし、前記減光用前面板と同質材をホログラム反射板として用い、新紙幣に軽く接触させるか数ミリ浮かせる形で配置し、その反射板は凸状に湾曲させたことを特徴とする請求項１記載の新旧紙幣に対応する偽造紙幣識別器。
【請求項３】
前記高光度ＬＥＤを発光させるための供給電源は充電池を含む市販の電池類、車用のバッテリー、または家庭用コンセントから取り込める構造とし、前記減光用前面板には、半透明で減光効果のある梨地模様の平滑でない薄い板を用いたことを特徴とする請求項１または請求項２記載の新旧紙幣に対応する偽造紙幣識別器。
【請求項４】
前記高光度ＬＥＤのオンまたはオフを行うマイクロスイッチを本体側に埋め込み、前記減光用前面板に穴を設けてマイクロスイッチの足を出し、該減光用前面板と前記紙幣固定板の突起との間に紙幣を挿入して前記マイクロスイッチの足を押すことにより高光度ＬＥＤの電源がオンとなるように構成したことを特徴とする請求項３記載の新旧紙幣に対応する偽造紙幣識別器。
【請求項５】
各高光度ＬＥＤに、電流をカットするオフスイッチをそれぞれ設けたことを特徴とする請求項４記載の新旧紙幣に対応する偽造紙幣識別器。
【考案の詳細な説明】
【技術分野】
【０００１】  本考案は、新旧紙幣の偽造を見分けるための、すべての金銭取扱所のレジスター、又は紙幣預かり台、トレーに関する。
【背景技術】
【０００２】  従来、レジスター上の紙幣置場、又は紙幣預かりのトレー等は、預かった紙幣の種類において、つり銭の間違いを防ぐための一時的保管場所に過ぎず、紙幣の真偽を確認する機能を有するわけではない。【０００３】  通常、偽造紙幣における透かしの有無確認は、天井の蛍光灯に透かすことによることが一般的ではあるが、それを一般顧客に対して行った場合、心理的に売り手側と買い手側との信頼関係の喪失が懸念される。まして夜の場合露天商及び屋外販売所やタクシーの車内等のように光源の極めて低い場所等では透かしを確認するどころか、カラーコピー等で偽造された紙幣の色彩等の確認もままならない。【０００４】  なお、本考案に関連する公知技術として次の特許文献１及び特許文献２を挙げることができる。【０００５】
【特許文献１】  特開２００２−３０４６５５号  公報
【特許文献２】  特開２００２−３０４６７０号  公報
【考案の開示】
【考案が解決しようとする課題】
【０００６】  上記の如く、従来技術に係る偽造紙幣識別器は、新紙幣には対応していない上に、他機器と連動させる接続が必要であり、配線の複雑化とボタン類の増加、レジスター又は、タクシーメーター等の製造会社での設計変更、及び使用者にとってそれらの新品機器の買い替えをしないと偽造識別器が使えない上に、高価になりやすく、金額的にも開発的にも急速な普及は難しい。特にタクシーメーター等は通常でも５個から６個のボタンを使い分ける上、それ以上にスイッチやボタン等が増すことは使用者にとって複雑で使いにくい機器になる恐れがある。【０００７】  このため、紙幣受け取りの際には銀行員でもない限り紙幣の真偽を一瞬で見分けることが難しく、紙幣を受け取ってつり銭を渡したのち集計等で偽札に気付き、受け取った本人または会社側の泣き寝入りということが通例で、顧客との信頼関係を保ったまま自然な姿勢、動作で紙幣真偽の確認ができ安価に提供できる簡単な装置が待たれているのが現状である。【０００８】  又、メーカーが製造ラインでレジスターに組み込むことは勿論、現在手持ちのレジスター等の機器類に両面テープやステー等を用いて後付ができる上に、タクシー、乗り合いバス等車内で使用する場合も簡単に導入でき、電源の取れないテント内や屋外においても使用できる機器でなければ使用者の負担が大きくなってしまう。【０００９】  本考案はこのような観点において成されたものであり、その目的は偽造紙幣を使用した犯人を捕らえることではなく、知らずに偽造紙幣を流通させてしまう一般の人を含めて紙幣流通の入り口であるすべての金銭取扱所において、偽札流通を防止させることを目的とする偽造紙幣識別器であって、一般的にレジスターにおいて行われる、顧客から紙幣を預かり目の前に挟んで、つり銭を渡す間だけ一時保管しておくという通常の動作のみで、レジスターのある店内ばかりではなくすべての場所において紙幣の真偽を確認することができるようにする。
【課題を解決するための手段】
【００１０】  上述の目的を達成する本考案の偽造紙幣識別器は、紙幣を挟むため隙間を有する本体の内部に照明球を持ち、平成１７年現在流通している旧紙幣においては１箇所を、又ホログラム付新紙幣においては１箇所から３箇所を照射することで紙幣の真偽を確認することを特徴とする新旧紙幣に対応にする偽造紙幣識別器。【００１１】  偽造紙幣識別器の光源は高光度ＬＥＤを用い、供給電源は充電池を含む市販の電池類、又車用のバッテリー、ＡＣアダプター等で家庭用のコンセントから取り込み、紙幣を差し込むことによりスイッチがオンとなり、内部１箇所から４箇所の高光度ＬＥＤを発光させて真偽を確認でき、目に対する配慮から減光効果のある半透明の板の後ろから高光度ＬＥＤを照射することを特徴とする。
【考案の効果】
【００１２】  請求項１記載の考案によれば、新旧紙幣の透かしの有無の確認、及び新紙幣の右端の透かし様縦線と左下ホログラム内容の確認が可能なため、新旧すべての紙幣の真偽を確認できるという効果がある。
請求項２または請求項３記載の考案によれば、高光度ＬＥＤの採用により球切れの心配をなくし、電源を選ばない構造のため場所を限定することなく使用が可能である上に、減光板により光源による眼球への影響を防ぐという効果がある。
請求項４記載の考案によれば、紙幣を挟むだけという行為でスイッチオン、紙幣を抜き取ることでスイッチオフになるため、新たな手動スイッチ等を設けることを必要とせず、また電源の入れ忘れ、切り忘れが防止でき必要最低限の照明時間で真偽確認ができるという効果がある。
請求項５記載の考案によれば、使用者が必要ではないと認める紙幣真偽確認場所の高光度ＬＥＤ４箇所を単独でオフにしておくことが可能なため節電ができるという効果がある。
【考案を実施するための最良の形態】
【００１３】  以下、本考案の実施の形態を図面に基づき詳細に説明する。【００１４】  図１〜図５は本考案の第１の実施の形態に係り、図１はその外観斜視図、図２はその左側面図、図３は図２のｂ線を断面とする正面図、図４は図１のａ線を断面とする左側面図、図５は図３の電気配線図、図６は第２の実施の形態の１例として小銭預かりトレーをセットした場合の図である。【００１５】  図１、図４、で示すように、本偽造紙幣識別器５は、前面に紙幣を挟むための突起部９の付いた紙幣固定板８を持ち、紙幣挿入口１２より挿入された紙幣がマイクロスイッチ１４の足１３を通過し押すことでスイッチオンとなり、図３で示すように左側透かし用高光度ＬＥＤ１５、ホログラム用の高光度ＬＥＤ１６、中央部透かし用の高光度ＬＥＤ１７、及び右側縦線の透かし用高光度ＬＥＤ１８に通電照射する。【００１６】  図１、図４が示すように、紙幣固定板８は２つの効果を持つ構造にできている。１つ目はマイクロスイッチの足１３と突起部分９とを併用して使うことで紙幣のような薄い紙でも確実にスイッチがオンとなる。２つ目は減光用前面板６と軽く接触している突起部９により紙幣が支えられるため、屋外での風の影響を受けることも無く、手を添え続ける必要も無いよう紙幣を安定させるという効果を持つ。又、図２、図４の場合は突起部分９が凸となっているが、マイクロスイッチ１４の足１３が入り込むような凹にすることでも同様にスイッチオンの効果を得ることが可能である。【００１７】  図３が示す旧五千円紙幣左側透かし部分照射高光度ＬＥＤ１５、及び新旧紙幣中央部透かし部分照射用高光度ＬＥＤ１７と新紙幣右側透かし様縦線部分照射用高光度ＬＥＤ１８は機器使用者に向かって照射されるため、光は図１、図２に示す減光用前面板６を通し、次に紙幣を通す２段階の減光作用で眼球への影響を妨げて安全に使用することが可能である。また前記減光用前面板は減光のみではなく、高光度ＬＥＤの光を均一に広げて見やすくする効果も備えているとともに、梨地のざらつきにより紙幣のちょうどよいすべりと板の傷防止に効果がある【００１８】  図３で示す電池１９を使用の場合は本機器のみで室内外問わずに使用でき、一般商店はもちろん、特に露天商又は神社境内等のお守りや土産売り場等場所を限定しないで使用が可能である。当機器は高光度ＬＥＤを使用することにより薄型に製造できるため機器裏面にも光を照射する構造にも簡単に成型可能で、上記場所等において金銭を取り扱う人が並んでいる場合は左右の２人で１台の共用も可能である。【００１９】  図３、及び図５の電気配線図で示すように、切りスイッチ１，２，３、４により機器使用人及び使用場所によって、真偽確認のための高光度ＬＥＤ１５、１６、１７、１８の４個のうち必要性を求めない場合はそれぞれ消灯したままにしておくことができる節電機能も備えている。またこの切りスイッチをすべて省くことで、紙幣を差し込んだときは４個の高光度ＬＥＤすべて点灯する回路になり製造原価を安く仕上げることも可能である。【００２０】  図３において電池ケース２０と家庭用及び車用電源ソケット７が同時に示されているが、通常の場合機器使用人は一定の場所で使用するため、片方のみの設置で製造原��を安く仕上げることも可能である。【００２１】  図３，図４において示されたホログラム照射用高光度ＬＥＤ１６は、図１のホログラム反射板固定板１０の後ろ右側に設置され、直接目に触れることを防ぐとともに、左斜め上４５度付近に照射した場合、新紙幣壱萬円札は１００００という数字を、新紙幣五千円札は５０００という数字を図１のホログラム反射板１１にくっきりと浮かび上がらせる。また上記高光度ＬＥＤ１６をホログラム反射板固定板１０の左端に移動させ、右斜め上４５度付近に照射した場合は両紙幣とも日本銀行のマークを同様にホログラム反射板１１に写し出すことが可能である。【００２２】  本考案の偽造紙幣識別器は、図１において示された本体５の材質をプラスチックまたはそれに準じた非金属の非電導性物質による部材を用い、それにより機器外観の形成の自由度を増すと共に機器内部配線の電気ショートを防ぎ、また使用場所に応じて縦、横、高さ共に小型化するために、図３における４箇所の高光度ＬＥＤ１５、１６、１７、１８のいずれかを減数して、１箇所から３箇所の照射にしても偽造紙幣識別器としての機能を果たすことが可能である。【００２３】  図３において示された家庭電源、及びバッテリー電源差込ソケット７を持つことにより、タクシー、ハイヤー、乗り合いバス等車内のシガライターソケット等より電源を簡単に確保でき、またすべてのレジスターに内蔵した場合でも電源の配線のみで作動するため、店内、車内どちらに使用しても電源以外の他の複雑な配線を必要としないため早急な普及が可能となる。【００２４】  本考案の偽造紙幣識別器は、考案の効果にも記載した通り、図３において示された１５、１６、１７、１８の部分の照明球に高光度ＬＥＤを用い、十分な明るさを備えると共に、熱を持たず球切れの心配を無くし機器の長寿命化とメンテナンスフリーを実現することができる。特に図３、図４に示された新紙幣ホログラム反射用高光度ＬＥＤ１６は通常の電球を使用した場合は厚く大型になったり、ホログラム内容がぼやけたりするが、当機器のように高光度ＬＥＤを使用することで本体を薄く小型に成型することができ、ホログラム内容もはっきりと確認することが可能となる。【００２５】  図５で示す通り電気配線は高光度ＬＥＤ１５、１６、１７、１８の並列接続という簡単なしくみのため設計製造が容易である。またこの図において１９は電池と示してあるが、前にも延べた通り家庭電源、車用バッテリーに置き換えることが可能である。【００２６】  以上本考案の実施の形態説明を述べてきたが、図１では本体５、切りスイッチ１、２、３、４等が縦型となっているが、縦型に限定されるものではない。当機器は薄型にできるため例えば横置きにして使用することも可能であり、したがって切りスイッチ等も上部に限定されるものではなく上下左右移動すること、及び外観も角型となっているが丸みを帯びること、図１のホログラム反射板固定板１０と紙幣固定板８は一体型に成型できうること、機器の表裏両面使用が可能であることも当図面に限定されることなく適せん選択されるものであり、第２の実施の形態に係り図６で示すような小銭預かりトレーとセットする形態にも成型可能である。
【図面の簡単な説明】
【００２７】
【図１】本考案である偽造紙幣識別器の斜視図である。
【図２】図１に示した偽造紙幣識別器の左側面図である。
【図３】図２のｂ線を断面とする正面図である。
【図４】図１のａ線を断面とする左側面図である。
【図５】図３に示した偽造紙幣識別器内部の電気配線図である。
【図６】図１に示した偽造紙幣識別器に、小銭預かりトレーをセットした第２の実施の形態の１例を示す斜視図である。
【符号の説明】
【００２８】１  旧五千円札透かし部分照射用高光度ＬＥＤオフスイッチ
２  新紙幣ホログラム部分照射用高光度ＬＥＤオフスイッチ
３  新旧紙幣中央部透かし部分照射用高光度ＬＥＤオフスイッチ
４  新紙幣右側透かし様縦線部分照射用高光度ＬＥＤオフスイッチ
５  偽造紙幣識別器本体
６  減光用前面板
７  家庭用電源又は車用電源ソケット
８  紙幣固定板
９  紙幣固定板突起
１０  新紙幣ホログラム反射板固定板
１１  新紙幣ホログラム反射板
１２  紙幣挿入口
１３  マイクロスイッチの足
１４  マイクロスイッチ本体
１５  旧五千円紙幣透かし部分照射用高光度ＬＥＤ
１６  新紙幣ホログラム部分照射用高光度ＬＥＤ
１７  新旧紙幣中央部透かし部分照射用高光度ＬＥＤ
１８  新紙幣右側透かし様縦線部分照射用高光度ＬＥＤ
１９  電池
２０  電池ケース
２１  マイクロスイッチ用穴
２２  小銭預かりトレー
【図１】
0003112978.tif 000003
【図２】
0003112978.tif 000004
【図３】
0003112978.tif 000005
【図４】
0003112978.tif 000006
【図５】
0003112978.tif 000007
【図６】
0003112978.tif 000008